(57)【要約】【課題】配管に対するバタフライ弁の煩雑な脱着作業を不要にして、容易に弁体のメンテナンスや交換を行なうことができるバタフライ弁を提供する。【解決手段】弁箱１における周壁部１Ａの内周には、第２軸線Ｃ２から第１軸線Ｃ１の左側に偏った位置に環状の弁箱シート部４を設け、この周壁部１Ａの上部における弁箱シート部４から第１軸線Ｃ１の右側に偏った位置の周壁部１Ａの上部を貫通して弁体２の出し入れが可能な上向きの開口５を設ける。弁体シート６を環状の弁箱シート部４に接触させた回転角０゜の全閉状態と、弁体シート６を環状の弁箱シート部４から離間させた回転角９０゜の全開状態を得ることができるとともに、回転角０゜の全閉状態から１８０゜回転させて、弁体２を開口５の下側に対応して位置決めして、蓋体７と上側軸受８を開口５から除去したのち、上側弁棒３Ａを吊り上げることで、弁箱１から弁体２を取出す。【選択図】　　　　図１
2004011757.tif 000002
【特許請求の範囲】
【請求項１】
弁箱と、弁棒および弁体とを備え、この弁体が弁棒に取付けられて該弁棒とともに前記弁箱の第１軸線に交差する第２軸線まわりに回転できるように弁箱に収容されたバタフライ弁において、前記第２軸線から第１軸線の一方側に偏った弁箱の内周に前記弁体の外周部が接離する環状の弁箱シート部を有し、この弁箱シート部から前記第１軸線の他方側に偏った弁箱の周壁部を貫通して、前記弁体と弁棒とを前記第２軸線方向に出し入れ可能かつ蓋体で着脱可能塞がれている開口を設けてなることを特徴とするバタフライ弁。
【発明の詳細な説明】
【０００１】
【発明の属する技術分野】
本発明はバタフライ弁に係り、特に、配管からの取り外し作業を不要にして弁体のメンテナンスや交換を実行できるバタフライ弁に関する。
【０００２】
【従来の技術】
図５、図６および図７に示すように、バタフライ弁は、弁箱１と、弁体２および弁棒３を備え、弁棒３を取付けた弁体２が弁箱１の軸方向にのびる軸線Ｃ１に直交する軸線Ｃ２を有して、弁棒３とともに該弁棒３の軸まわりに回転できるように弁箱１に収容され、弁体２の回転によって弁体シ−トが弁箱１内面の弁箱シートに接離して開閉を行うように構成されている。弁箱１の内面は一様な内径を有して軸線Ｃ１方向にのび、その断面形状は正円形を呈している。
【０００３】
このように構成されたバタフライ弁では、弁体２を全閉位置から縦軸線Ｃ２の軸まわりに回転させると、弁体２の回転角の拡大に伴って弁箱シートと弁体シ−トの回転軌跡上の間隔が大きくなり、流体の流下断面積が拡大されて流量を増大させることができる。また、弁体２を全開位置から縦軸線Ｃ２の軸まわりに逆回転させると、弁体２の回転角の縮小に伴って弁箱シートと弁体シ−トの回転軌跡上の間隔が小さくなり、流体の流下断面積が縮小されて流量を減少もしくは０にすることができる。したがって、弁体２を回転角０゜の全閉位置に位置決めした流量０の状態から、回転角９０゜の全開位置に位置決めした最大流量の範囲内で弁体２の回転角に応じて流量を調整することもできる。
【０００４】
【発明が解決しようとする課題】
ところが、従来のバタフライ弁では、これが配管に介設されている使用状態において、弁体のメンテナンスや交換を行なう場合には、配管からバタフライ弁を取り外してメンテナンスや交換を行なったのちに、再度バタフライ弁を配管に取付ける煩雑な作業が必要になる。
【０００５】
本発明は、このような事情に鑑みてなされたもので、配管に対する煩雑なバタフライ弁の脱着作業を不要にした簡単な作業によってて、容易に弁体のメンテナンスや交換を行なうことができるバタフライ弁を提供することを目的としている。
【０００６】
【課題を解決するための手段】
前記目的を達成するために、本発明に係るバタフライ弁は、弁箱と、弁棒および弁体とを備え、この弁体が弁棒に取付けられて該弁棒とともに前記弁箱の第１軸線に交差する第２軸線まわりに回転できるように弁箱に収容されたバタフライ弁において、前記第２軸線から第１軸線の一方側に偏った弁箱の内周に前記弁体の外周部が接離する環状の弁箱シート部を有し、この弁箱シート部から前記第１軸線の他方側に偏った弁箱の周壁部を貫通して、前記弁体と弁棒とを前記第２軸線方向に出し入れ可能かつ蓋体で着脱可能塞がれている開口を設けてなることを特徴としている。
【０００７】
本発明によれば、弁体の外周部を弁箱シート部に接触させた回転角０゜の全閉状態と、弁棒および弁体を第２軸線まわりに９０゜回転させて、弁体の外周部を弁箱シート部から離間させた回転角９０゜の全開状態を得ることができるとともに、回転角０゜から回転角９０゜の範囲内で回転角に応じて流量を調整することもできる。
一方、回転角０゜の全閉状態から弁棒および弁体を第２軸線まわりに１８０゜またはその付近まで回転させるとこにより、弁体を弁箱からの取出しが可能な開口に対応させて取出すことができる。また、弁体を弁箱の外側から開口に対応させて弁箱に挿入することができる。
【０００８】
【発明の実施の形態】
以下、本発明の一実施の形態を図面に基づいて説明する。なお、図５〜図７で説明した従来例と同一もしくは相当部分には、同一符号を付して説明する。
【０００９】
図１は本発明の一実施の形態を示す正面断面図、図２は図１のＡ−Ａ矢視図、図３は図１の左側面図、図４は平面断面図である。これらの図において、バタフライ弁は、弁箱１と、弁棒３および弁体２を備え、この弁体２が弁棒３に取付けられて該弁棒３とともに弁箱１の水平軸線（第１軸線）Ｃ１に直交する垂直軸線（第２軸線）Ｃ２まわりに回転できるように弁箱１に収容されている。
【００１０】
弁箱１における周壁部１Ａの内周には、第２軸線Ｃ２から第１軸線Ｃ１の左側（一方側）に偏った位置に環状の弁箱シート部４が設けられ、この弁箱シート部４から第１軸線Ｃ１の右側（他方側）に偏った位置の周壁部１Ａの上部を貫通して上向きの開口５を設けてある。
【００１１】
弁体２は、円盤状のもので、弁棒３が取付けられる基部２Ａと、この基部２Ａに第１軸線Ｃ１の一側に偏って連設され大径の主体部２Ｂとからなり、基部２Ａの上部には弁棒３における上側弁棒３Ａが同時回転可能に取付けられ、基部２Ａの下部には弁棒３における下側弁棒３Ｂが同時回転可能に取付けられているとともに、主体部２Ｂの外周部には、弁箱シート部４に接離する弁体シート６を設けてある。また、下側弁棒３Ｂは、第１軸線Ｃ１上で弁箱１における周壁部１Ａの下部に設けた下側軸受７により回転自在に支持され、上側弁棒３Ａは、第１軸線Ｃ１上で開口５を開閉可能に水密に塞ぐ蓋体８の下側に設けられて、開口５に出し入れされる上側軸受９により水密かつ回転自在に支持されており、その上端部は、蓋体８を水密かつ回転自在に貫通して上方に導出されている。
【００１２】
前記開口５は、投影平面形状が矩形に形成され、投影平面上で第１軸線Ｃ１に直交する方向の寸法Ｌが弁体２における主体部２Ｂの外径Ｄよりも大きく、また第１軸線Ｃ１方向の寸法Ｗが弁体２の厚さＴよりも大きく設定されている。
【００１３】
このような構成であれば、図１，図４の実線で示すように、弁体２における主体部２Ｂの弁体シート６を環状の弁箱シート部４に接触させた回転角０゜の全閉状態と、図４の一点鎖線で示すように、弁棒３および弁体２を第２軸線まわりに９０゜回転させて、弁体シート６を環状の弁箱シート部４から離間させた回転角９０゜の全開状態を得ることができるとともに、回転角０゜から回転角９０゜の範囲内で回転角に応じて流量を調整することもできる。
【００１４】
一方、図１，図３，図４の実線で示す回転角０゜の全閉状態から弁棒３および弁体２を第２軸線まわりに１８０゜またはその付近まで回転させると、図１，図４二点鎖線で示すように、弁体２が開口５の下側に対応して位置決めされることになる。したがって、この状態で蓋体８と上側軸受９を開口５から除去したのち、上側弁棒３Ａを吊り上げることで、弁棒３（上側弁棒３Ａと下側弁棒３Ｂ）とともに弁体２を弁箱１から取出すことができる。
【００１５】
すなわち、弁箱１が配管１０に介設されているバタフライ弁の使用状態において、弁体２のメンテナンスや交換に際しては、配管１０から弁箱１を取り外す煩雑な作業を不要にして、弁箱１から弁体２を容易に取り外すことができる。また、メンテナンスを終了した弁体２または交換された新規の弁体は、これを蓋体８と上側軸受９が除去されている開口５の上側に対応して位置決めし、この状態で上側弁棒３Ａを吊り降ろして、下側弁棒３Ｂを下側軸受７に挿入すことで、弁体２が弁箱１の内部で開口５の下側に対応して位置決めされた図１，図３，図４の二点鎖線で示す状態を得ることができ、この状態で上側軸受９を開口５に挿入し、かつ蓋体８で開口５を水密に塞ぐことによって、バタフライ弁を再使用することができる。つまり、弁体２のメンテナンスや交換に際しては、配管１０に対する弁箱１の煩雑な脱着作業を不要にした簡単な作業によって、容易に弁体２のメンテナンスや交換を行なうことができる。なお、弁体２のメンテナンスや交換に際して、弁体２を脱着する前段で、弁箱１が介設されている配管１０の上流側で、仕切弁などの弁閉により、流体を遮断することはいうまでもない。
【００１６】
【発明の効果】
以上説明したように、本発明のバタフライ弁は構成されているので、以下のような格別の効果を奏する。
【００１７】
すなわち、弁箱が配管に介設されているバタフライ弁の使用状態において、弁体のメンテナンスや交換に際しては、配管に対する弁箱の煩雑な脱着作業を不要にした簡単な作業によって、容易に弁体のメンテナンスや交換を行なうことができる。
【図面の簡単な説明】
【図１】本発明の一実施の形態を示す正面断面図である。
【図２】図１のＡ−Ａ矢視図である。
【図３】図１の左側面図である。
【図４】平面断面図である。
【図５】従来例の正面断面図である。
【図６】図５のＢ−Ｂ線断面図である。
【図７】図５のＣ−Ｃ線断面図である。
【符号の説明】
１　弁箱
１Ａ　弁箱の周壁部
２　弁体
３　弁棒
４　環状の弁箱シート部
５　開口
【図１】
2004011757.tif 000003
【図２】
2004011757.tif 000004
【図３】
2004011757.tif 000005
【図４】
2004011757.tif 000006
【図５】
2004011757.tif 000007
【図６】
2004011757.tif 000008
【図７】
2004011757.tif 000009